(57)【要約】全地球測位システムを用いてディジタル画像を組織化し、検索するためのシステムは、ディジタル画像を捕捉するために測位システム受信器を有するディジタルカメラ２と、画像が撮られた場所の測位システム座標と共にディジタル画像データを記憶するための第１データベース２１と、複数の場所の関連場所名と測位システム座標情報とを記憶するための第２データベース２２と、第１データベース２１に記憶されたディジタル画像の測位システム座標を決定し、測位システム座標をマッチングさせるために第２データベース２２を検索し、そして、マッチングが見つかった場合に第１データベース２１にディジタル画像データと共に場所名を記憶するための処理器２５と、を有する。【特許請求の範囲】
【請求項１】
ディジタル画像を組織化し、検索するためのシステムであって：
第１データ及びディジタル画像データを記憶するための第１データベース；
第２データを記憶するための第２データベース；並びに
前記第１データに基づいて前記第２データを検索し、前記第１データに関連する前記第２データを記憶するための処理器；
を有することを特徴とするシステム。
【請求項２】
請求項１に記載のシステムであって、前記ディジタル画像データの検索は、前記の関連する第２データに基づいて行われる、ことを特徴とするシステム。
【請求項３】
請求項２に記載のシステムであって、前記第１データは、前記ディジタル画像データが最初に捕捉された日付を有し、前記第２データは、少なくとも１つのオケージョンと該少なくとも１つのオケージョンの日付とを有する、ことを特徴とするシステム。
【請求項４】
請求項２に記載のシステムであって、前記第１データは、前記ディジタル画像データが最初に捕捉された測位システム座標を有し、前記第２データは、少なくとも１つの場所名と該少なくとも１つの場所名の測位システム座標とを有する、ことを特徴とするシステム。
【請求項５】
請求項１に記載のシステムであって、前記第２データベースは前記第１データベースから離れた場所に位置付けられている、ことを特徴とするシステム。
【請求項６】
請求項５に記載のシステムであって、前記インターネットは前記第１データベース及び第２データベースに接続されている、ことを特徴とするシステム。
【請求項７】
全地球測位システムを用いてディジタル画像を組織化し、検索するためのシステムであって：
ディジタル画像を捕捉するために測位システム受信器を有するディジタルカメラ；
前記画像が撮られた場所の測位システム座標と共に前記ディジタル画像データを記憶するための第１データベース；
複数の場所の関連場所名と測位システム座標情報とを記憶するための第２データベース；
前記第１データベースに記憶された前記ディジタル画像の前記測位システム座標を決定し、測位システム座標をマッチングさせるために前記第２データベースを検索し、そして、マッチングが見つかった場合に前記第１データベースに前記ディジタル画像データと共に前記場所名を記憶するための処理器；
を有する、ことを特徴とするシステム。
【請求項８】
請求項７に記載のシステムであって、前記ディジタル画像の検索は前記場所名に基づいて行われる、ことを特徴とするシステム。
【請求項９】
請求項８に記載のシステムであって、前記画像が捕捉された日付及び時間の少なくとも１つは、前記ディジタル画像データと共に前記第１データベースに記憶される、ことを特徴とするシステム。
【請求項１０】
請求項９に記載のシステムであって、少なくも１つのオケージョンと該少なくとも１つのオケージョンの日付とを記憶するための第３データベースを更に有する、ことを特徴とするシステム。
【請求項１１】
請求項１０に記載のシステムであって、前記処理器は、前記第１データベースに記憶されている前記ディジタル画像の前記日付を決定し、マッチング日付について前記第３データベースを検索し、そして、マッチングが見つかった場合に、前記第１データベースにおける前記ディジタル画像データと共に記憶する、ことを特徴とするシステム。
【請求項１２】
請求項１１に記載のシステムであって、前記場所名及びオケージョンは、関連ディジタル画像についてのソートパラメータとして用いられる、ことを特徴とするシステム。
【請求項１３】
請求項９に記載のシステムであって、前記第２ディジタル画像が捕捉された日付及び時間の少なくとも１つと測位システム座標情報とを有する第２ディジタル画像データを記憶するための第４データベースであって、前記第２ディジタル画像は他により捕捉される、第４データベースであり、検索は、前記第１データベースに記憶された日付及び時間の少なくとも１つに基づいて第４データベースにおいて行われる、ことを特徴とするシステム。
【請求項１４】
全方位測位システムを用いて、ディジタル画像を組織化し、検索するための方法であって：
ディジタル画像を捕捉し、画像が撮られた場所の測位システム座標と共に前記ディジタル画像データを記憶する段階；
第２データベースに測位システム座標情報と複数の場所についての関連場所名とを記憶する段階；並びに
前記ディジタル画像の前記測位システム座標を決定し、測位システム座標をマッチングさせるために前記第２データベースを検索し、そして、マッチングが見つかった場合に、前記ディジタル画像データと共に前記場所名を前記第１データベースに記憶する段階；
を有することを特徴とする方法。
【請求項１５】
請求項１４に記載の方法であって：
前記画像が捕捉された日付を前記ディジタル画像データの日付と共に前記第１データベースに記憶する段階；及び
少なくとも１つのオケージョンと前記の少なくとも１つのオケージョンの日付とを記憶する段階；
を更に有する、ことを特徴とする方法。
【請求項１６】
請求項１５に記載の方法であって：
前記第１データベースに記憶された前記ディジタル画像の日付を決定する段階；
マッチングする日付について前記第２データベースを検索する段階；及び
マッチングが見つかった場合に、前記ディジタル画像データと共に前記オケージョンを前記第１データベースに記憶する段階；
を更に有する、ことを特徴とする方法。
【請求項１７】
請求項１６に記載の方法であって：
日付スタンプ及び時間スタンプの少なくとも１つと測位システム座標情報と共に、他により撮られた画像を第３データベースに記憶する段階；
を更に有する、ことを特徴とする方法。
【請求項１８】
請求項１７に記載の方法であって：
マッチングする測位システム座標、日付及び時間の少なくとも１つを有する画像を検索するように前記第３データベースを検索する段階；
を更に有する、ことを特徴とする方法。
【請求項１９】
請求項１９に記載の方法であって、前記第３データベースは前記第１データベースから離れた場所に位置付けられている、ことを特徴とする方法。
【請求項２０】
請求項１９に記載の方法であって、前記第３データベースに記憶されている前記ディジタル画像を検索するために課金される、ことを特徴とする方法。
【請求項２１】
請求項１５に記載の方法であって：
第１プリセット範囲における日付を有し、第２プリセット範囲における測位システム座標を有するディジタル画像を決定する段階；
日付範囲及び測位システム座標情報範囲に対応するオケージョンレベル及び場所レベルで前記の決定された画像をラベル付けする段階；
を更に有する、ことを特徴とする方法。
【発明の詳細な説明】
【技術分野】
【０００１】
本発明は、一般に、ディジタル画像の改善された組織化及び検索に関し、特に、全地球測位システム座標、日付印及び／又は時間印を用いてディジタル写真の改善された組織化及び検索に関する。
【背景技術】
【０００２】
全地球測位システム（ＧＰＳ）は、人間又は対象の位置を決定するために長く利用されてきた。ＧＰＳは、携帯電話、腕時計等を含む多くの市販されているエレクトロニクスに組み込まれてきた。近年、ＧＰＳカメラが市場に投入された。それらのディジタルカメラは、ピクチャが撮られた全地球的位置の正確なＧＰＳ座標を有する各々のディジタル写真を座標印付けするＧＰＳ受信器を有する。
【０００３】
図１は、従来のＧＰＳカメラシステムの図である。ＧＰＳシステム１と、ＧＰＳカメラ２と、ディジタル画像データ及びＧＰＳ座標情報の表示３と、ＰＣ（パーソナルコンピュータ）４とが図１に示されている。ディジタルカメラ２は、ＧＰＳシステムからＧＰＳ座標を受信し、写真撮影時に、ＧＰＳカメラは、画像が撮られているときにＧＰＳカメラのＰＧＳ座標と共にディジタル画像データを記憶する。後に、ユーザは画像データとＧＰＳ座標情報３をダウンロードし、見るためにＰＣ４にダウンロードすることができる。更に、ディジタル画像を撮るとき、非ＧＰＳカメラにおいてさえ、日付及び時間印が又、ディジタル画像データと共に記憶される。
【０００４】
ディジタル画像に関連するＧＰＳ座標は、画像を見る及び管理する間の経験を改善するために広く用いられている。米国特許第６，４３７，７９７号明細書において、画像が撮られたところをユーザが理解することができるようにマップ画像に画像のサムネイルを重ねるために画像に関連するＧＰＳ画像を利用するシステムについて記載されている。米国特許出願公開第２００１／００２２６２１号明細書は、現ユーザデータ及びＧＰＳ座標位置情報を有するディジタル画像を印付けするカメラ及び携帯電話システムについて開示している。又、ＧＰＳ座標と関連する場所名及び所在地情報を有するデータベースを検索することにより関連ＧＰＳデータを有する画像の場所名又は所在地を記録する、そして、ＧＰＳデータに基づいて画像と場所名又は所在地を関連付ける日本国特許公開番号第０９／０２７９３７号明細書に関心がある。又、その米国特許は、ＷＷＷ（ワールドワイドウェブ）サーバにおけるホームページのＵＲＬ（Ｕｎｉｖｅｒｓａｌ  Ｒｅｓｏｕｒｃｅ  Ｌｏｃａｔｏｒ）に関連するデータベース場所データ（経度及び緯度）に記憶する情報検索システムについて開示している。ユーザが関連ＧＰＳデータを有する画像を選択するとき、そのシステムは、その画像のＧＰＳデータにおける又はその近くにおけるＧＰＳデータについてのデータベースを検索し、それに関連するホームページを開く。
【０００５】
それらのシステムの各々は、ディジタル画像を見ている及び管理している間に経験を改善するが、今日の進歩には幾つかの短所があり、尚もユーザが要求するところがある。従来技術におけるシステムは、日付印及び時間印を有するディジタル画像を提供することができるが、ユーザは、その日付及び時間がユーザにとっての特別な日付及び時間と一致するかどうかを決定することはできない。又、特定の場所からのディジタル画像の検索及び共有は、ＧＰＳ座標システムを用いているとき、混乱を招く。
【発明の開示】
【発明が解決しようとする課題】
【０００６】
全地球測位システム（ＧＰＳ）の座標を用いて、ディジタル写真を検索及び組織化するためのディジタル画像検索及び管理システムであって、ディジタル画像を捕捉するためのＧＰＳ受信器を有するディジタルカメラと、画像が撮られた場所のＧＰＳ座標と共にディジタル画像データを記憶する第１データベースと、複数の場所の関連場所名及びＧＰＳ座標情報を記憶するための第２データベースと、第１データベースに記憶されたディジタル画像のＧＰＳ座標を決定し、ＧＰＳ座標をマッチングさせるために第２データベースを検索し、そして、マッチングが見つかった場合に第１データベースにディジタル画像データと共に場所名を記憶するためのプロセッサと、を有するディジタル画像検索及び管理システムに対する要請が存在している。
【０００７】
従って、全地球測位システム（ＧＰＳ）座標を用いてディジタル写真を検索及び組織化するための方法であって、ディジタル画像を捕捉し且つ画像が撮られた場所のＧＰＳ座標と共にディジタル画像データを記憶する段階と、複数の場所の関連場所名及びＧＰＳ座標情報を記憶する段階と、ディジタル画像のＧＰＳ座標を決定し且つＧＰＳ座標をマッチングさせるために第１データベースを検索し且つマッチングが見つかった場合にディジタル画像データと共に場所名を記憶する段階と、を有する方法に対する要請が又、存在している。
【課題を解決するための手段】
【０００８】
他の特徴においては、第２データベースは、第１データベースから遠い場所に位置している。
【０００９】
他の特徴においては、インターネットが第１データベース及び第２データベースに繋がっている。
【００１０】
本発明の他の特徴は、ＧＰＳ座標、日付印及び時間印に基づいて、ディジタル画像データベースを検索するためのシステムを提供することである。
【００１１】
本発明の上記の及び他の特徴について、当業者は、以下の添付図面を伴う詳細説明から理解することができるであろう。尚、図面においては、同様な参照番号は同様な構成要素に付けられている。
【発明を実施するための最良の形態】
【００１２】
本発明の好適な実施形態について、以下、図面を参照して詳述する。以下の詳細説明においては、不必要な詳細説明により本発明を不明瞭にすることを回避するために、周知の機能又は構成について詳細に説明しない。
【００１３】
図２は、本発明の実施形態に従った、ディジタル画像検索及び管理システムについて示す図である。図２には、ディジタル画像データ及びＧＰＳ座標情報３と、ＰＣ２０とが示されている。ＰＣ２０は、パーソナルコンピュータに限定されるものではなく、ウェブサーバ、携帯情報端末、又は他のデータ記憶及び表示システムを含む。ＰＣ２０には、ディジタル画像データ及びＧＰＳ座標情報データベース２１と、ＧＰＳ／場所名データベース２２と、データ／オケージョン（ｏｃｃａｓｉｏｎ）データベース２３と、プロセッサ２５とを有する。又、キーボード、タッチスクリーン又は他の入力装置であることが可能な入力装置２７を示しているが、それらに限定されるものではない。
【００１４】
ディジタル画像データ及びＧＰＳ座標情報３はＧＰＳカメラ（図示せず）からＰＣ２０にであって、特に、プロセッサ２５に入力される。プロセッサ２５は、このとき、ディジタル画像データ及びＧＰＳ座標情報データベース２１にディジタル画像データ及びＧＰＳ座標情報３を記憶する。ＧＰＳ／場所名データベース２２は、場所の場所名情報に関連する既知の場所のＧＰＳ座標を記憶する。例えば、パリのエッフェル塔は、北緯４８°５１′３２″及び東経００２°１７′３５″の座標を有する。ＧＰＳ／場所名データベース２２は、場所名“エッフェル塔”とＧＰＳ座標、即ち、北緯４８°５１′３２″及び東経００２°１７′３５″とを記憶する。勿論、記憶されている情報のフォーマットをシステム要件に伴って変えることができる。ディジタル画像データ及びＧＰＳ座標がディジタル画像データ及びＧＰＳ座標情報データベース２１に記憶されたとき、プロセッサは、記憶されている場所のマッチングするＧＰＳ座標に対してＧＰＳ／場所名データベース２２を検索する。それ故、上記の例においては、エッフェル塔のディジタル画像が撮られる場合、ディジタル画像データ及びその写真が撮られたＧＰＳ座標は、ディジタル画像データ及びＧＰＳ座標情報データベース２１に記憶される。プロセッサ２５は、そのとき、ＧＰＳ座標をマッチングさせるために、ＧＰＳ／場所名データベース２２の検索を始める。北緯４８°５１′３２″及び東経００２°１７′３５″の座標のマッチングを見つけたとき、プロセッサ２５は、ディジタル画像データ及びＧＰＳ座標情報データベース２１にディジタル画像データと共にラベル“エッフェル塔”を記憶する。
【００１５】
プロセッサ２５の検索パラメータを、検索を広げる又は狭めるように調節することができる。例えば、エッフェル塔のＧＰＳ座標が検索座標として用いられる場合、プロセッサ２５は、ディジタル画像データとの関連付けのために場所名“エッフェル塔”を与えるように、及び、代替の場所名としてラベル“パリ”を与えるようにプログラムされることが可能である。両方の場所名が記憶されることが可能であり、又は、ユーザはユーザ入力装置２７を用いてどの場所を選択するべきかのオプションを与えられることが可能である。そして、ユーザが選択を狭めることを所望する場合、システムは、正確に又は略マッチングするＧＰＳ座標の場所ラベルを検索するように指令される。それ故、例えば、ユーザが裏庭でディジタル画像を撮る一方、プロセッサ２５は狭い検索を実行し、村名又は近くの旅行者向け魅力的場所名ではなく、ディジタル画像のＧＰＳ座標に関連する特定の通りの場所を検索する。同様に、ＧＰＳ／場所名データベース２２を検索している間に、マッチングするＧＰＳ座標がプロセッサ２５により見つからない場合、プロセッサ２５は、マッチングするＧＰＳ座標に近い幾つかの座標又は最も近い座標を見つけ、そしてディジタル画像データと共にどの場所名が記憶されるべきか、入力装置２７を用いてユーザが選択することを可能にするようにプログラムされることができる。又、ユーザは、入力装置２７を用いてＧＰＳ／場所名データベース２２にない場所についてのＧＰＳ座標情報及び場所名を入力及び記憶するばかりでなく、入力装置２７を用いて記憶されている場所名を編集することが可能である。
【００１６】
図２には、日付／オケージョンデータベース２３が又、示されている。ＧＰＳ受信器の有無に拘らず、ディジタルカメラにより記録されている標準的情報は、写真が撮られた日付及び時間である。勿論、更に正確な日付及び時間は、その正確な日付及び時間がＧＰＳシステムから入手可能であるため、ＧＰＳカメラを用いて入手可能である。何れの場合も、日付及び時間情報は、ディジタル画像データ及びＧＰＳ座標情報データベース２２にディジタルカメラからディジタル画像データの一部として記憶される。
【００１７】
データ／オケージョンデータベース２３は、その日付において起こった特定のオケージョンと関連付けられ、周知の日付として記憶される。例えば、クリスマスは毎年の１２月２５日である。日付／オケージョンデータベース２３は、日付“１２月２５日”及びそのオケージョン“クリスマス”を記憶する。又、記憶される情報のフォーマットを、システム要件に伴って変えることができる。写真が撮られた日付を有するディジタル画像がディジタル画像データ及びＧＰＳ座標情報データベース２１に記憶されているとき、プロセッサは、記憶されているオケージョンのマッチングする日付について日付／オケージョンデータベース２３を検索する。それ故、実施例においては、ディジタル画像が１２月２５日に撮られた場合、写真が撮られたディジタル画像の日付はディジタル画像データ及びＧＰＳ座標情報データベース２１に記憶される。プロセッサ２５は、マッチングする日付について日付／オケージョンデータベース２３の検索を開始する。“１２月２５日”についてのマッチング又は類似するフォーマットを見つけたとき、プロセッサ２５は、ディジタル画像データ及びＧＰＳ座標情報データベース２１におけるディジタル画像データと共にオケージョンラベル“クリスマス”を記憶する。プロセッサ２５は、オケージョン名、例えば、“クリスマス  ２００３年”と共にそのオケージョンの年を記憶するように又、プログラムされることができる。マッチングする日付が、日付／オケージョンデータベース２３を検索している間にプロセッサ２５により見つからない場合、プロセッサ２５は、入力装置２７を用いてユーザが日付及びオケージョンを入力することを可能にするようにプログラムされ、その際、プロセッサ２５は、ディジタル画像データを有する入力された場所ラベルを記憶する。更に、プロセッサ２５により実行される検索は、日付において又はそれに関して見つけるようにプログラムされることができる。これは、例えば、たとえ、写真が１２月２４日又は２６日に撮られたとしても、オケージョン“クリスマス”をユーザに与えることができる。又、ユーザは、入力装置２７を用いて記憶されている日付及びオケージョンを編集すること、そして、入力装置２７を用いて、日付／オケージョンデータベース２３に未だに記憶されていない個人的日付を入力することが可能である。例えば、ユーザは、ユーザの特別なオケージョン及び日付として、“Ｒｉｃｈａｒｄの誕生日”及び“６月２日”を入力することが可能である。プロセッサ２５は、後の参照のために日付／オケージョンデータベース２３にＲｉｃｈａｒｄの誕生日”及び“６月２日”を記憶する。又は、更に、誕生年又は結婚した年を記憶することができ、それ故、プロセッサ２５は、オケージョン名、例えば、“Ｒｉｃｈａｒｄの誕生日２００３年”と共に類似するラベル又はオケージョンの年を記憶し、記憶されている年からの特定の数、例えば、“Ｒｉｃｈａｅｄの３０年目の誕生日”を計算するようにプログラムされることができる。
【００１８】
上記概要のような実施形態においては、ユーザがディジタル画像を見ることを容易にするように及び経験を管理するように、付加機能を備えることができる。ここで、その場所名ラベル及びオケージョンラベルが各々のディジタル画像データと共に記憶されると、システムは、新しいラベルに関して検索するようにプログラムされることができる。例えば、ユーザは、過去の全ての年におけるクリスマスの画像全てを検索するように所望することが可能である。過去に関しては、検索は、先ず、日付パラメータ“１２月２５日”を用いてなされる必要があり、次いで、例えば、近いパラメータ“１２月２４日”及び“１２月２６日”である日付パラメータを検索することができる。最終的に、各々の写真について、それらが実際にクリスマス関連オケージョンに関するものであるかどうかを決定するために、確認する必要がある。本発明を用いることにより、各々の画像がオケージョンラベルと共に記憶されているため、ただ１回の検索を実行して、各々の画像を確認する必要なく、クリスマスの画像の全てを検索することができる。同様の検索を、場所名ラベルを用いて又、実行することができる。
【００１９】
図３は、本発明の他の実施形態に従ったディジタル画像検索及び管理システムを示す図である。図３においては、ＰＣ２０と、インターネット３０と、コンピュータ３１乃至３３が示されている。コンピュータ３１乃至３３は、他のパーソナルコンピュータ、インターネットウェブサービス又は他のインターネットアクセスを伴う他のコンピュータであることが可能である。この実施形態においては、コンピュータ３１乃至３３及びＰＣ２０の各々は、それぞれのシステムにおいてディジタル画像データ及びＧＰＳ座標情報を記憶する。現在、アマチュア写真家及びプロの写真家を満足させる多くのウェブサイトが存在する。それらのサイトの多くは、他により見ることができ及び他と共有するためにそれらのウェブサーバにユーザがディジタル画像データをアップロードすることを可能にしている。本発明は、画像を見ること及び共有することを容易にする。第１ユーザは、コンピュータ３１乃至３３の１つに彼のディジタル画像データをアップロードし、それとそのディジタル画像データを共有することができる。ディジタル画像データは又、場所名ラベル及び場所ラベルの少なくとも１つを有する。第２ユーザが特定のラベルに基づいて検索するとき、そのシステムは、同様の又は類似するラベルを有する写真全てを検索する。例えば、第２ユーザは、エッフェル塔の他の画像を見ることを所望して、“エッフェル塔”の検索を実行することが可能である。そのシステムは、“エッフェル塔”の場所名ラベルを用いて画像全てを検索する。類似する検索を、オケージョンラベルを用いて、実行することができる。本発明について、上記のように、ディジタル画像に関連する用語に関して明確に述べてきたが、本発明は又、他の画像フォーマットに適用されることができる。上記のディジタル画像データは、ディジタルカメラ、ディジタル映像システム、“ウェブカム”（ウェブカメラ）、画像スキャナ、又はディジタルフォーマットで１つの画像又は一連の画像を捕捉するように設計された他の装置を用いて撮られた画像を含む。用語“ディジタルカメラ”又は“ディジタル画像データ”を、ここでは、簡単化の目的で用いているが、全てのディジタル画像捕捉装置及びディジタル画像フォーマットが意図されている。
【００２０】
更に、そのシステムは、ユーザに対して特定の写真の集合をグループ化する（例えば、写真アルバム又はホルダにおいて）ために各々のディジタル画像についての時間及び場所情報を用いることができる。これは、時間及び場所情報を用いて、それらの画像の集合に対して意味のある名前をユーザに与えることができる。例えば、数日の連続日数の期間中にパリで撮られた画像をアルバムにおいて共にグループ化することができる。そのシステムは、画像の場所座標及び日付を分析し、マッチングが見つかった場合、グループ化を実行することができ、そのシステムは、プログラミングに依存して、アルバムに対する適切な名前、例えば、“パリ−２００３年５月”、“パリの週末”、“パリでのクリスマス”等を提案する又は付ける。このようにして検索及びグループ化を行うとき、そのシステムは、より広い地理的範囲及び／又は日付範囲を包含して、その検索パラメータを広くするように指令される。勿論、検索パラメータに対する適合により、検索を狭く又は広くするようにユーザ制御されることができ、ユーザがグループを適切に規定することを可能にする。
【００２１】
本発明の他の実施形態は、データ及び時間スタンプ検索とＧＰＳ座標検索を組み合わせることに関する。社会においてより一般的になるには、ウェブカムが世界中の固定位置に位置付けられることである。ユーザは、インターネットによりそれらのウェブカムにより捕捉されたリアルタイム画像にアクセスし、リアルタイム映像ストリームを見ることができる。それ故、例えば、エッフェル塔に位置付けられ及び方向付けられたウェブカムを有することが可能であり、ユーザは、そのウェブカムにより捕捉された画像にアクセスすることができ、そのユーザの家のコンピュータにおいてその画像を見ることができる。又は、遊園地において一般に行われるように、乗客の静止画像が、特定の設備に乗車中にしばしば撮られる。それらのフォーマットの両方を、ＧＰＳ座標及び日付／時間スタンプを伴って、実行されることができる。上記のように、画像が撮られる日付及び時間は、典型的には、ＧＰＳカメラを使用するときにＧＰＳ座標情報と共に、ディジタル画像データと記憶される。それ故、エッフェル塔又は遊園地にいる間にディジタル画像を撮ったユーザは、ユーザがユーザの画像を撮った日付及び時間及びＧＰＳ座標における又はその座標の周りにおいてウェブカム又はパークカメラにより撮られた画像を検索するようにプロセッサ２５に指令する。この検索は、インターネットによる広い検索であることが可能であり、特定のウェブサイト、例えば、エッフェル塔の旅行者情報の分割のウェブサイト又は遊園地のウェブサイトに限定されることが可能である。これは、ユーザがいる場所及び時間に一致する画像又は映像をユーザに提供し、それにより、それらの画像は、ユーザ自身の画像を実際に含むことが可能である。それらの検索画像は、そのとき、無料で又は有料でユーザに提供されることができる。
【００２２】
ＧＰＳシステムについて、本明細書を通して述べてきたが、ここでは他の測位システムを同等に用いることが意図されていることを当業者は理解することができるであろう。
【００２３】
本発明について、幾つかの実施形態を参照して述べてきたが、本発明は、上記のそれらの特定の形態に限定されるものではないことを、当業者は理解することができるであろう。それ故、同時提出の特許請求の範囲により規定される、本発明の範囲及び主旨から逸脱することなく、形態及び詳細における種々の変形が可能である。
【図面の簡単な説明】
【００２４】
【図１】従来のＧＰＳカメラシステムを示す図である。
【図２】本発明の実施形態に従ったディジタル画像検索及び管理システムを示す図である。
【図３】本発明の実施形態に従ったディジタル画像検索及び管理システムを示す図である。
【図１】
2007528523.tif 000002
【図２】
2007528523.tif 000003
【図３】
2007528523.tif 000004
【国際調査報告】
2007528523.tif 000005
2007528523.tif 000006
2007528523.tif 000007